(57)【要約】      （修正有）【課題】女性用色浴衣を外出着としてではなく、部屋着、くつろぎ着として浴衣ローブを提供する。【解決手段】女性用色浴衣を、部屋着、くつろぎ着として着用するために、通常の着丈より２５ｃｍ〜３０ｃｍ短くし、帯ではなく腰紐８のようなものを装着することとし、はだけることを防ぐように各前身頃に結び紐２，３，４，５を取り付け、腰紐のようなもののずれを防ぐために輪６，７を取り付け、色浴衣の持つ可憐で爽やかで艶やかな雰囲気を保ちながらバスローブのように簡単に気軽に着用できる。【選択図】図２
0003173766.tif 000002
【実用新案登録請求の範囲】
【請求項１】
女性用色浴衣を外出着ではなく、部屋着、くつろぎ着として着用するために、通常の着丈より２５ｃｍ〜３０ｃｍ短くし、帯ではなく腰紐のようなものを装着することとし、はだけることを防ぐように各前身頃に結び紐を取り付け、腰紐のようなもののずれを防ぐために輪を取り付け、色浴衣の持つ可憐で爽やかで艶やかな雰囲気を保ちながらバスローブのように簡単に気軽に着用できる、浴衣ローブとして提供する。
【請求項２】
前記着丈は、通常女性用色浴衣着丈より、おはしょり部分としての長さである２５ｃｍ〜３０ｃｍ短くするために、既製色浴衣の場合は裾またはウェストあたりを切り、新規縫製の場合は通常着丈より、あらかじめ２５ｃｍ〜３０ｃｍ短く仕上げる。
【請求項３】
前記のように、前身頃がはだけることを防ぐために、上前身頃と下前身頃の両端にバスローブや作務衣にあるように結び紐を取り付ける。
【請求項４】
前記のように、帯ではなくバスローブのように腰紐のようなものを装着することとし、その腰紐のようなものは、レースなどを使い装飾性のあるものとし、前で結ぶこととする。
【請求項５】
前記のように、腰紐のようなもののずれを防ぐためにウェスト部分の左右両方に輪を取り付けることとする。
【考案の詳細な説明】
【技術分野】
【０００１】  本考案は、女性用色浴衣に関する。
【背景技術】
【０００２】  一般に、女性用色浴衣は、着丈より長く仕立てた長着で、腰のあたりで着丈に合わせて、おはしょりを作り、そのおはしょりの上に帯を締める。おはしょりを作ることによって、着丈を合わせ、胴のしわを隠し、腰の形を整えることができる。そしてその上に帯を締める。色浴衣とは、旅館の寝間着など多数が同じデザインのものと区別する意味で、以後も使用するものである。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  女性用色浴衣は、日本人にとってその可憐さ、爽やかさ艶やかさは他の追随を許さない存在であるが、おはしょりをきれいに作ることや、その上に帯をしめることは、一定の技術を要し、誰でも気軽に色浴衣を楽しむことはなかなか難しい。だが、色浴衣を部屋着・くつろぎ着として考えた場合、着丈をちょうどに合わせる必要もないので、おはしょり部分をなくし、さらに帯を紐（装飾性はある）にかえることで、誰でも簡単に装着でき、気軽に浴衣を楽しめないという問題点を解決しようとするものである。この場合、旅館などでの多数同じデザインの寝間着風の浴衣とは、ひとつひとつ個性的な模様の色浴衣とは区別するものである。
【課題を解決するための手段】
【０００６】  本考案は、おはしょり部分をなくして、その上にバスローブのように結び紐や腰紐を装着することにより帯のかわりにする。また、両身頃の端に結び紐をつけてはだけるのを防ぎ、更にウェスト部分に結び紐や腰紐のずれを防ぐ輪を縫い付け、その輪に結び紐や腰紐を後ろから前に通し前で結ぶことにより、色浴衣を気軽に楽しむことが難しいという問題点を、色浴衣をバスローブのように簡単に着てくつろぎ着として楽しめる浴衣ローブとして提供し、解決している。色浴衣を素肌のうえに着て、くつろぎ着として考える適合性も否定できない。
【考案の効果】
【０００７】  本考案は、色浴衣を、部屋着、くつろぎ着と考えることとし、おはしょりをなくし、帯を紐（装飾性はある）に替え、結び紐や輪を取り付けることによりはだけることもずれることもなく、誰でもが簡単に色浴衣の持つ可憐さ爽やかさ艶やかな雰囲気を、浴衣ローブとして装着することができる。
【図面の簡単な説明】
【０００８】
【図１】本考案の浴衣ローブの実施例を示す正面図である。
【図２】本考案の浴衣ローブの前身頃を広げた正面図である。
【図３】既存の色浴衣の正面図である。
【考案を実施するための形態】
【０００９】  女性用色浴衣の着丈を仕立て上がりより２５ｃｍ〜３０ｃｍ短く切り、もしくは、あらかじめ通常の着丈より２５ｃｍ〜３０ｃｍ短く仕立てる。その上ウェスト位置近くにはだけることを防ぐために、両身頃に結び紐をつける。腰紐のような紐のずれを防ぎ安定するために輪をつける。その輪に後ろから前に腰紐のような紐を通し、前で結ぶことによって、色浴衣をバスローブのように簡単に着てくつろぎ着として楽しめる浴衣ローブとなる。
【実施例】
【００１０】  以下、添付図面に従って実施例を説明する。１は浴衣ローブ本体、２は右前身頃側の結び紐、３は左そで下（浴衣内側）からの結び紐、５は左前身頃の結び紐、４は右そで下（浴衣外側）の結び紐となる。２と３、４と５を結ぶ。６は、ウェスト右側に輪、７はウェスト左側の輪、６、７の輪に腰紐のようなもの８を、後ろから通し前で結ぶ。
【産業上の利用可能性】
【・・・・】
【符号の説明】
【００１１】１  浴衣ローブ本体
２  結び紐
３  結び紐
４  結び紐
５  結び紐
６  輪
７  輪
８  腰紐
９  おはしょり
【図１】
0003173766.tif 000003
【図２】
0003173766.tif 000004
【図３】
0003173766.tif 000005
【手続補正書】
【提出日】平成23年7月12日(2011.7.12)
【手続補正１】
【補正対象書類名】実用新案登録請求の範囲
【補正対象項目名】全文
【補正方法】変更
【補正の内容】
【実用新案登録請求の範囲】
【請求項１】
女性用浴衣を外出着ではなく、部屋着、くつろぎ着として着用するために、着丈を調節するおはしょり部分をなくし、帯ではなく腰紐のようなもので結び、色浴衣の持つ可憐で爽やかで艶やかな雰囲気を保ちながら、バスローブのように簡単に気軽に着用できる浴衣ローブ。
【請求項２】
色浴衣の裾またはウェストのあたりを切断して２５ｃｍ〜３０ｃｍ短くすることで、身頃の丈をほぼ着丈ほどに短くした請求項１に記載した浴衣ローブ。
【請求項３】
前身頃がはだけることを防ぐために、上前身頃と下前身頃の両端にバスローブや作務衣になどにあるような結び紐を取り付けた請求項１又は２のいずれかに記載の浴衣ローブ。
【請求項４】
請求項１に記載の腰紐は、装飾性のあるものとし前で結ぶようにした請求項１〜３のいずれかに記載の浴衣ローブ。
【請求項５】
浴衣ローブのウェスト部分の左右両方に輪を取り付け、請求項１又は４に記載の腰紐をその輪に通すことにより、ずれを防ぐようにした請求項１〜４のいずれかに記載の浴衣ローブ。
【手続補正書】
【提出日】平成23年10月20日(2011.10.20)
【手続補正１】
【補正対象書類名】実用新案登録請求の範囲
【補正対象項目名】全文
【補正方法】変更
【補正の内容】
【実用新案登録請求の範囲】
【請求項１】
女性用浴衣を外出着ではなく、部屋着、くつろぎ着として着用するために、着丈を調節するおはしょり部分をなくし、帯ではなく腰紐のようなもので結び、色浴衣の持つ可憐で爽やかで艶やかな雰囲気を保ちながら、バスローブのように簡単に気軽に着用できる浴衣ローブ。
【請求項２】
色浴衣の裾またはウェストのあたりを切断して２５ｃｍ〜３０ｃｍ短くすることで、身頃の丈をほぼ着丈ほどに短くした請求項１に記載した浴衣ローブ。
【請求項３】
前身頃がはだけることを防ぐために、上前身頃と下前身頃の両端にバスローブや作務衣になどにあるような結び紐を取り付けた請求項１又は２のいずれかに記載の浴衣ローブ。
【請求項４】
請求項１に記載の腰紐は、装飾性のあるものとし前で結ぶようにした請求項１〜３のいずれかに記載の浴衣ローブ。
【請求項５】
浴衣ローブのウェスト部分の左右両方に輪を取り付け、前記腰紐をその輪に通すことにより、ずれを防ぐようにした請求項１〜４のいずれかに記載の浴衣ローブ。